(57)【要約】【課題】変圧器の漏れインダクタンスを利用するコンバータ装置において，半導体スイッチに通流する電流を抑制して半導体スイッチの通流損失を低減させ，コンバータ効率を向上させる。【解決手段】漏れインダクタンスを有する変圧器（漏れ変圧器）の一次巻線および二次巻線それぞれに流れる電流によって生ずるそれぞれの磁束が通る共通磁路に第三の巻線を施し，この第三の巻線にコンデンサを接続し，このコンデンサの充放電電流が漏れ変圧器の励磁電流になるようにすることで，漏れ変圧器が適用されるコンバータ装置における半導体スイッチの通流電流が低減できる。【選択図】図８
2014216522.tif 000002
【特許請求の範囲】
【請求項１】
磁心に第一の巻線および第二の巻線を巻きつけ、
前記第一の巻線に交流電圧を印加し、前記第二の巻線から交流電圧を受電する変圧器であって、
前記第一の巻線又は前記第二の巻線に漏れインダクタンスを有し、前記第一の巻線の電流による磁束と前記第二の巻線の電流による磁束の両方が通る共通磁路に第三の巻線を施し、前記第三の巻線にコンデンサを接続してなる変圧器。  
【請求項２】
ギャップが形成された環状の磁心と、
前記磁心の前記ギャップを挟み、かつ、対向するよう前記磁心に巻かれる第一の巻線及び第二の巻線と、
前記磁心に巻かれる第三の巻線と、
前記第三の巻線に接続されるコンデンサと、を備える変圧器。
【請求項３】
前記第三の巻線は、前記ギャップを挟んでいない側の、前記第一の巻線及び前記第二の巻線の間において巻かれている請求項２記載の変圧器。
【請求項４】
前記環状の磁心は、内脚部と、前記内脚部の両側に配置される一対の外脚部と、前記内脚部及び外脚部を接続する接続部とを有するＥ型コアを、対向するよう二つ組み合わせたものであって、
前記ギャップ部は、前記Ｅ型コアの内脚部先端同士が形成する間隙であり、前記第三の巻線は、前記Ｅ型コアの一対の外脚部の双方に直列に巻かれている請求項２記載の変圧器。
【請求項５】
前記第三の巻線は、巻線内において撚られている請求項４記載の変圧器。
【請求項６】
直流電源と、
前記直流電源に電気的に接続される変圧器と、
前記変圧器に電気的に接続される負荷と、を有する電力変換装置であって、
前記変圧器は、ギャップが形成された環状の磁心と、磁心のギャップを挟み、かつ、対向するよう磁心に巻かれる第一の巻線及び第二の巻線と、磁心に巻かれる第三の巻線と、第三の巻線に接続されるコンデンサと、を備える電力変換装置。
【請求項７】
前記変圧器の前記第三の巻線は、前記ギャップを挟んでいない側の、前記第一の巻線及び前記第二の巻線の間に配置されている請求項６記載の電力変換装置。
【請求項８】
前記変圧器の前記環状の磁心は、内脚部と、前記内脚部の両側に配置される一対の外脚部と、前記内脚部及び外脚部を接続する接続部とを有するＥ型コアを、対向するよう二つ組み合わせたものであって、
前記ギャップ部は、前記Ｅ型コアの内脚部先端同士が形成する間隙であり、前記第三の巻線は、前記Ｅ型コアの一対の外脚部の双方に直列に巻かれている請求項６記載の電力変換装置。
【請求項９】
前記変圧器の前記第三の巻線は、巻線内において撚られている請求項８記載の電力変換装置。
【発明の詳細な説明】
【技術分野】
【０００１】
本発明は、変圧器及びそれを用いた電力変換装置に関する。
【背景技術】
【０００２】
電力変換装置は、入力された電力を所望の電力に変換することのできる装置であって、例えば直流電力を交流電力に、交流電力を直流電力に、直流電力をそれとは電圧が異なる直流電力に、又は、交流電力をそれとは電圧及び周波数が異なる交流電力に変換することができる装置であり、一般には半導体スイッチ、コンデンサ、インダクタ、抵抗、変圧器等の素子が組み合わされて構成される。
【０００３】
上記の電力変換装置の例として、例えば下記非特許文献１に、直流電源と変圧器の一次巻線間に第一の半導体スイッチとコンデンサを直列に接続して第一の電流経路を確立し、更に、このコンデンサと変圧器の一次巻線の直列回路が短絡されるように第二の半導体スイッチを接続して第二の電流経路を確立した回路構成を備えるＬＬＣ共振コンバータが開示されている。このＬＬＣ共振コンバータでは、コンデンサと変圧器の漏れインダクタンスとの共振を利用して一次巻線に交流電流を流すと同時に一次巻線に交流電圧を印加することで、変圧器の二次巻線に交流電圧を発生させることができる。また、二次巻線から得られた交流電圧を必要に応じて整流することで入力した直流電源とは別の直流電圧を得ることができる。
【先行技術文献】
【非特許文献】
【０００４】
【非特許文献１】電源回路設計２００９、ＣＱ出版社、１９１ページ
【発明の概要】
【発明が解決しようとする課題】
【０００５】
ところで上記技術においては、変圧器の漏れインダクタンスを設けるために、磁心に、磁気抵抗を大きくするためのエアギャップが設けられている。この結果、変圧器の励磁インダクタンスはエアギャップが無い場合に比較して小さくなり、励磁電流が大きくなってしまう。この励磁電流は、通流損失が発生する半導体スイッチに流れてしまうため、半導体スイッチの損失増分になる結果、コンバータの損失要因にもなってしまう。
【０００６】
また、磁性粉末を樹脂等によって固めて形成した圧粉鉄心の場合、樹脂の部分は概ね真空中又は空気中の透磁率に等しいものであるため、エアギャップが磁心全体に分布していると見なすこともできる。この結果、磁心の磁気抵抗は比較的大きくなり、この磁心に巻線を施して形成した変圧器の励磁インダクタンスは小さく、励磁電流は比較的大きくなる。磁心の磁気抵抗を高めに設定した変圧器では、巻線の漏れインダクタンスが大きくなるため、この大きな漏れインダクタンスを利用するＬＬＣ共振コンバータも考えられるが、この場合であってもやはり励磁電流は通流損失の発生する半導体スイッチに流れてしまうため、半導体スイッチの損失増分になるとともに、コンバータの損失要因となる。
【０００７】
そこで、上記課題に鑑み、本発明の目的は、変圧器の漏れインダクタンスを利用する電力変換装置において、半導体スイッチに通流する電流を抑制して半導体スイッチの通流損失を低減させ、電力変換効率の高い電力変換装置及びそれに用いられる変圧器を提供することを目的とする。
【課題を解決するための手段】
【０００８】
上記課題について本発明者が鋭意検討を行ったところ、漏れインダクタンスを有する変圧器の一次巻線および二次巻線それぞれに流れる電流によって生ずるそれぞれの磁束が通る共通磁路に巻線を施し、この巻線にコンデンサを接続することで上記目的を達成する変圧器及び電力変換装置を実現できることを発見し、本発明を完成させるに至った。
【０００９】
すなわち、本発明の目的を達成するための第一の観点にかかる変圧器は、鉄心に施した第一の巻線に交流電圧を印加し、鉄心に施した第二の巻線から交流電圧を受電するためのものであって、第一の巻線又は第二の巻線に漏れインダクタンスを有し、第一の巻線の電流による磁束と第二の巻線の電流による磁束の両方が通る共通磁路に第三の巻線を施し、第三の巻線にコンデンサを接続してなることを特徴とする。  
【００１０】
また、本発明の第二の観点にかかる変圧器は、ギャップが形成された環状の磁心と、磁心の前記ギャップを挟み、かつ、対向するよう磁心に巻かれる第一の巻線及び第二の巻線と、磁心に巻かれる第三の巻線と、第三の巻線に接続されるコンデンサと、を備えることを特徴とする。
【００１１】
また、本観点の変圧器において、限定されるわけではないが、第三の巻線は、ギャップを挟んでいない側の、第一の巻線及び前記第二の巻線の間に配置されていることが望ましい。
【００１２】
また、本観点の変圧器において、限定されるわけではないが、環状の磁心は、内脚部と、内脚部の両側に配置される一対の外脚部と、内脚部及び外脚部を接続する接続部とを有するＥ型コアを、対向するよう二つ組み合わせたものであって、ギャップは、Ｅ型コアの内脚部先端同士が形成する間隙であり、第三の巻線は、Ｅ型コアの一対の外脚部の双方に直列に巻かれていることが望ましい。またこの場合において、第三の巻線は、巻線内において撚られていることが好ましい。
【００１３】
また、本発明の第三の観点に係る電力変換装置は、直流電源と、直流電源に電気的に接続される変圧器と、変圧器に電気的に接続される負荷と、を有するものであって、変圧器は、ギャップが形成された環状の磁心と、磁心のギャップを挟み、かつ、対向するよう磁心に巻かれる第一の巻線及び第二の巻線と、磁心に巻かれる第三の巻線と、第三の巻線に接続されるコンデンサと、を備えていることを特徴とする。
【００１４】
また、本観点の電力変換装置において、限定されるわけではないが、変圧器の前記第三の巻線は、ギャップを挟んでいない側の、第一の巻線及び前記第二の巻線の間に配置されていることが望ましい。
【００１５】
また、本観点の電力変換装置において、限定されるわけではないが、変圧器の環状の磁心は、内脚部と、内脚部の両側に配置される一対の外脚部と、内脚部及び外脚部を接続する接続部とを有するＥ型コアを、対向するよう二つ組み合わせたものであって、ギャップは、Ｅ型コアの内脚部先端同士が形成する間隙であり、第三の巻線は、Ｅ型コアの一対の外脚部の双方に直列に巻かれていることが望ましい。またこの場合において、変圧器の第三の巻線は、巻線内において撚られていることが望ましい。
【発明の効果】
【００１６】
以上、本発明により、変圧器の漏れインダクタンスを利用する電力変換装置において、半導体スイッチに通流する電流を抑制して半導体スイッチの通流損失を低減させ、電力変換効率の高い電力変換装置及びそれに用いられる変圧器を提供することができる。より具体的には、漏れインダクタンスを有する変圧器の一次巻線及び二次巻線それぞれに流れる電流によって生ずるそれぞれの磁束が通る共通磁路に施した第三の巻線に接続したコンデンサから変圧器の励磁電流を供給することができるため、一次巻線電流がその分減少し、一次巻線と直列接続されている半導体スイッチの通流損失が低減され、電力変換効率が向上するという利点がある。
【図面の簡単な説明】
【００１７】
【図１】二次巻線を中間端子付きにした漏れ変圧器を適用する改良前の電力変換装置の例としてのＤＣ−ＤＣコンバータを示す図である。
【図２】実施形態１に係る変圧器の概略を示す図である。
【図３】実施形態１に係るＤＣ−ＤＣコンバータの等価回路を示す図である。
【図４】実施形態１に係る変圧器の他の例の概略を示す図である。
【図５】改良前のＤＣ−ＤＣコンバータの他の例の等価回路を示す図である。
【図６】実施形態２に係る漏れ変圧器の概略を示す図である。
【図７】実施形態２に係る変圧器を適用したＤＣ−ＤＣコンバータの等価回路を示す図である。
【図８】実施形態２にかかる変圧器の他の例の概略を示す図である。
【発明を実施するための最良の形態】
【００１８】
以下、本発明の実施形態について詳細に説明する。ただし、本発明は多くの異なる形態による実施が可能であり、以下に示される具体的な例示にのみ限定されるわけではない。また、本明細書において、同一の機能を有する部材には同様の符号を付し、重複する説明は省略する。
【００１９】
本実施形態に係る電力変換装置（以下「本電力変換装置」という。）についての説明に先立ち、まず、改良前の電力変換装置の説明を行う。図１は、改良前の電力変換装置の等価回路図を示している。
【００２０】
本図で示すように、改良前の電力変換装置は、二次巻線を中間端子付きにした変圧器を備えるＤＣ−ＤＣコンバータであって、一般的に使用されているいわゆるＬＬＣ共振コンバータである。この改良前の電力変換装置は、直流電源１の電力を変圧器５により絶縁しつつ直流負荷１４へ供給することができる。
【００２１】
より具体的に説明すると、本図で示される改良前の電力変換装置は、まず、直流電源１と変圧器５の間に第一の半導体スイッチ２と直列共振用コンデンサ４を直列に接続して第一の電流経路を確立する一方、この直列共振用コンデンサ４と変圧器５の一次巻線の直列回路が短絡されるように第二の半導体スイッチ３を接続して第二の電流経路を確立した回路構成を備える。そして、直列共振用コンデンサ４、変圧器５の一次側漏れインダクタンス６、二分した二次側漏れインダクタンス７、８による直列共振回路の共振周波数近くで第一の半導体スイッチ２及び第二の半導体スイッチ３のオン及びオフを相補的に行い、直列共振用コンデンサ４と変圧器５の一次巻線の直列回路への直流電圧の印加及び直列回路の短絡を繰り返すことで、一部正弦波状の交流電流を変圧器５の一次側ａｂ間に通流し、ａｂ間にこれに伴う交流電圧を発生させることができうる。なお、交流電流から変圧器５の励磁インダクタンス９へ流れる電流を差し引いた電流は、一次側と二次側の巻数比に換算されて、二次側ｃｄ間またはｄｅ間に、第一の半導体スイッチ２及び第二の半導体スイッチ３のスイッチングに同期して交互に流れ、二次巻線の中間端子ｄに対して電解コンデンサ１３の電圧よりカソード電位が負電位となる方の整流ダイオード１１、１２がオンし、電解コンデンサ及び直流負荷へ電力を供給することができる。なおここで、変圧器５の励磁インダクタンス９は、漏れインダクタンス６〜８に対して、通常、十分大きく、この直列共振周波数には大きな影響は与えない。また、１０は変圧器の一次電圧と二次電圧の比を決める理想変圧器である。
【００２２】
図１に示した半導体スイッチ２、３にはそれぞれの通流電流によって損失がそれぞれ発生するが、その電流は変圧器５の一次側ａｂ間に流れる巻線電流であり、励磁インダクタンス９に流れる電流を含んでいる。変圧器５では、漏れインダクタンス６を設けているため、すなわち一次巻線と二次巻線間の磁気結合を弱めるため、エアギャップが施されている。エアギャップは鉄心の磁気抵抗を上げ、励磁インダクタンスを下げる働きがある。したがって、エアギャップのある鉄心を適用した変圧器の励磁電流は比較的大きくなり、巻線電流を増大させる。本図で示す改良前の電力変換装置の場合、巻線電流は半導体スイッチ２、３の通流電流であるので、これらの素子の通流損失を小さくするためには励磁電流ができるだけこれらの半導体スイッチに通流しないようにする必要がある。
【００２３】
ここで図２は、本実施形態に係る変圧器５’を示す図であり、図３は、本変圧器５’を組み込んだ本実施形態に係る電力変換装置を示す図である。本図で示すように、本変圧器５’は鉄心１５を備え、この鉄心１５には第一の巻線である一次巻線ａｂ、第二の巻線である二次巻線ｃｄｅ、第三の巻線ｆｇがそれぞれ巻かれており、第三の巻線にはコンデンサ１６が接続されている。より具体的には、一次巻線ａｂ間に流れる電流による磁束の一部は二次巻線ｃｄｅと鎖交せず、一次側漏れインダクタンス６を形成し、二次巻線ｃｄ間又はｄｅ間に流れる電流による磁束の一部は一次巻線ａｂと鎖交せず、二次側漏れインダクタンス７又は８を形成する。本変圧器５’は、これら漏れ磁束以外の、それぞれの巻線電流による磁束（鎖交磁束）が通る共通磁路に第三の巻線ｆｇを施し、これにコンデンサ１６を接続している。
【００２４】
具体的な構造の観点からすると、本変圧器５’は、ギャップが形成された環状の磁心１５と、ギャップを挟んで対向するよう磁心１５に巻かれる第一の巻線である一次巻線ａｂ及び第二の巻線である二次巻線ｃｄｅと、一次巻線ａｂ及び二次巻線ｃｄｅの間において磁心に巻かれる第三の巻線ｆｇと、第三の巻線ｆｇに接続されるコンデンサ１６と、を備える。また第三の巻線ｆｇは、ギャップを挟んでいない側の、一次巻線ａｂ及び第二の巻線ｃｄｅの間に配置されている。
【００２５】
図３は、上述のとおり本実施形態に係る電力変換装置の等価回路を示す図である。本図で示す電力変換装置は、ＤＣ−ＤＣコンバータとなっている。
【００２６】
本図中、コンデンサ１６’は、静電容量が第三の巻線から一次巻線側に巻数換算された静電容量のコンデンサ１６を示すものであって、励磁インダクタンス９と並列接続されたものと考え、表現することができる。ここで、コンデンサ１６’と励磁インダクタンス９の並列共振周波数が前記直列共振回路の共振周波数近傍になるようにコンデンサ１６の静電容量を選んでおけば、一次巻線電流に対してこの並列共振回路は開放に近くなり、一次巻線ａｂ間に流れる電流はこの並列共振回路に殆ど流れず、励磁インダクタンス９の励磁電流を第一の半導体スイッチ２及び第二の半導体スイッチ３を通して供給しなくなり、これら半導体スイッチの通流損失を低減することができる。すなわち、励磁インダクタンス９の励磁電流はコンデンサ１６’から供給される。また、第一の半導体スイッチ２、第二の半導体スイッチ３の通流電流は、一次巻線ａｂ間に流れた後、殆どが一次巻線ａｂと二次巻線ｃｄｅの巻数比換算された二次側電流として出力されることになる。
【００２７】
以上、本実施形態により、変圧器の漏れインダクタンスを利用する電力変換装置において、半導体スイッチに通流する電流を抑制して半導体スイッチの通流損失を低減させ、電力変換効率の高い電力変換装置及びそれに用いられる変圧器を提供することができる。
【００２８】
図４は、本実施形態に係る変圧器５’の他の例を示す図である。本図で示す変圧器５’は、磁心に、通常広く使用されているＥ型コアを向かい合わせて二つ接続させたものを用いている。この変圧器５’は、一次巻線ａｂまたは二次巻線ｃｄｅに流れる電流が作る磁束のうち、それらの漏れ磁束以外は鉄心１５の２本ある外脚を通るので、鉄心１５の２本の外脚のみに第三の巻線ｆｇを直列に巻いてコンデンサ１６を接続し、漏れ磁束とは鎖交しないように巻線間の配線を施している。
【００２９】
また、本図の変圧器５を構造に特化した観点から表現すると、本図で示す変圧器５’は、内脚部と、内脚部の両側に配置される一対の外脚部と、内脚部及び外脚部を接続する接続部を有するＥ型コアを、外脚部で接続し、対向するよう二つ組み合わせたものであって、ギャップは、内脚部の先端同士が形成する間隙によって形成され、第三の巻線ｆｇは、Ｅ型コアの一対の外脚部の双方に連続して巻かれており、第三の巻線は、巻線内において撚られている。
【００３０】
（実施形態２）
図５は、改良前の電圧変換装置の他の例を示すものであって、上記実施形態１における図１の例とは異なる、漏れ変圧器を適用したＤＣ−ＤＣコンバータの例を示すもので、漏れ変圧器５’’の二次巻線には中間端子を設けず，二次巻線ｃｄ間に流れる電流を整流ダイオード１１’によって半波整流して電解コンデンサ１３および直流負荷１４へ電力を供給する構成となっている。ここで、コンデンサ１７は、二次巻線ｃｄに接続され、二次巻線電流に直流分が流れ続けることを防止して漏れ変圧器５’’の磁心の直流偏磁および磁気飽和を防止するために設けている。また，ダイオード１８は、整流ダイオード１１’がオフ時に二次巻線ｃｄ間に電流が流れる経路を確保するために設けられている。
【００３１】
図６は、本実施形態にかかる変圧器５’’’の概略を示す図である。本図で示すように、本変圧器５’’’の鉄心１５に配置された一次巻線ａｂ、二次巻線ｃｄ、第三の巻線ｆｇおよび第三の巻線に接続されたコンデンサ１６を示すものである。一次巻線ａｂ間に流れる電流による磁束の一部は二次巻線ｃｄとは鎖交せず、一次側漏れインダクタンス６を形成する。また，二次巻線ｃｄ間に流れる電流による磁束の一部は一次巻線ａｂとは鎖交せず、二次側漏れインダクタンス７を形成する。これら漏れ磁束以外の、それぞれの巻線電流による磁束（鎖交磁束）が通る共通磁路に第三の巻線ｆｇを施し、これにコンデンサ１６を接続する。
【００３２】
具体的な構造の観点からすると、本変圧器５’’’は、ギャップが形成された環状の磁心１５と、ギャップを挟んで対向するよう磁心１５に巻かれる第一の巻線である一次巻線ａｂ及び第二の巻線である二次巻線ｃｄと、一次巻線ａｂ及び二次巻線ｃｄの間において磁心に巻かれる第三の巻線ｆｇと、第三の巻線ｆｇに接続されるコンデンサ１６と、を備える。また第三の巻線ｆｇは、ギャップを挟んでいない側の、一次巻線ａｂ及び第二の巻線ｃｄの間に配置されている。
【００３３】
図７は、図６で示す変圧器を適用した本実施形態に係るＤＣ−ＤＣコンバータの等価回路である。コンデンサ１６’は、静電容量が第三の巻線ｆｇから一次巻線側に巻数換算された静電容量のコンデンサ１６を示すもので、励磁インダクタンス９と並列接続される。ここで、コンデンサ１６’と励磁インダクタンス９の並列共振周波数が前記直列共振回路の共振周波数近傍になるようにコンデンサ１６の静電容量を選んでおくと、一次巻線電流に対してこの並列共振回路は開放に近くなり、一次巻線ａｂ間に流れる電流はこの並列共振回路には殆ど流れず、励磁インダクタンス９の励磁電流を第一の半導体スイッチ２および第二の半導体スイッチ３を通して供給しなくなり、これらの通流損失が低減されることになる。すなわち、励磁インダクタンス９の励磁電流はコンデンサ１６’から供給されることになる。また、第一の半導体スイッチ２および第二の半導体スイッチ３の通流電流は、一次巻線ａｂ間に流れた後、殆どが一次巻線と二次巻線の巻数比換算された二次側電流として出力される。
【００３４】
なお図８は、図６で示す例とは異なる変圧器５’’’の例を示すものである。本変圧器は、鉄心１５’を通常広く使用されているＥ型コアを２つ接続して形成したものとなっている。一次巻線ａｂまたは二次巻線ｃｄに流れる電流が作る磁束の内、それらの漏れ磁束以外は鉄心１５’の２本の外脚を通るので、鉄心１５’の２本の外脚のみに第三の巻線ｆｇを直列に巻いてコンデンサ１６を接続し、該漏れ磁束とは鎖交しないように巻線間の配線を施している。
【００３５】
また、本図の変圧器５’’’を構造に特化した観点から表現すると、本変圧器５’’’は、内脚部と、内脚部の両側に配置される一対の外脚部と、内脚部及び外脚部を接続する接続部を有するＥ型コアを、外脚部で接続し、対向するよう二つ組み合わせたものであって、ギャップは、内脚部の先端同士が形成する間隙によって形成され、第三の巻線ｆｇは、Ｅ型コアの一対の外脚部の双方に連続して巻かれており、第三の巻線は、巻線内において撚られている。
【００３６】
以上、本実施形態により、変圧器の漏れインダクタンスを利用する電力変換装置において、半導体スイッチに通流する電流を抑制して半導体スイッチの通流損失を低減させ、電力変換効率の高い電力変換装置及びそれに用いられる変圧器を提供することができる。
【符号の説明】
【００３７】
１…直流電源
２…スイッチング素子
３…スイッチング素子
４…直列共振用コンデンサ
５，５’，５’’，５’’’…変圧器
６…一次側漏れインダクタンス
７…漏れ変圧器５の２分した二次側漏れインダクタンス
８…漏れ変圧器５の２分した二次側漏れインダクタンス
９…励磁インダクタンス
１０…理想変圧器
１１，１１’…整流ダイオード
１２…整流ダイオード
１３…電解コンデンサ
１４…負荷
１５，１５’…磁心
１６…コンデンサ
１６’ …静電容量が巻数換算されたコンデンサ１６
１７…漏れ変圧器の磁心の直流偏磁防止用コンデンサ
１８…ダイオード  
【図１】
2014216522.tif 000003
【図２】
2014216522.tif 000004
【図３】
2014216522.tif 000005
【図４】
2014216522.tif 000006
【図５】
2014216522.tif 000007
【図６】
2014216522.tif 000008
【図７】
2014216522.tif 000009
【図８】
2014216522.tif 000010